(57)【要約】【課題】  複写禁止原稿を含む原稿が読み込まれた場合、複写禁止頁が読み込まれたことを事後的に確認できるようにする。【解決手段】  画像読込手段９は原稿を読み込んで画像データを生成する。記憶手段１１は生成画像データを記憶する。パターン情報検知手段１５は記憶された画像データ中に複写禁止頁を示すパターン情報が存在するか否かを検知する。検知履歴管理手段１３は複写禁止頁の存在および当該画像データを検知履歴情報として出力可能に記憶管理する。操作表示手段２５は検知履歴情報の表示を指示入力を受けるとともに、その指示された検知履歴情報を表示する。【選択図】  図１
2008061001.tif 000002
【特許請求の範囲】
【請求項１】
原稿を読み込んで画像データを生成する画像読込手段と、
生成された前記画像データを記憶する記憶手段と、
記憶された前記画像データ中に複写禁止頁を示すパターン情報が存在するか否かを検知するパターン情報検知手段と、
前記パターン情報の存在が検知されたとき、前記複写禁止頁に係る検知履歴情報を出力可能に管理する検知履歴管理手段と、
を具備することを特徴とする画像形成装置。
【請求項２】
前記検知履歴管理手段は、前記検知履歴情報を格納するとともに所定のアクセス権が得られたときに前記検知履歴情報を出力する請求項１記載の画像形成装置。
【請求項３】
前記検知履歴情報は、検知された前記複写禁止頁の画像データを含む請求項１又は２記載の画像形成装置。
【請求項４】
前記検知履歴情報は、当該装置を特定する特定符号、前記画像データの生成時期、当該装置の操作者特定情報の少なくとも１つ以上のデータを含む請求項１〜３いずれか１記載の画像形成装置。
【請求項５】
出力された前記検知履歴情報を表示する表示手段を有する請求項１〜４いずれか１記載の画像形成装置。
【請求項６】
前記パターン情報の存在が検知されたとき、前記複写禁止頁を同一濃度の画像データに変換する画像データ変換手段を有する請求項１〜５いずれか１記載の画像形成装置。
【請求項７】
前記画像データを印刷する印刷手段を有する請求項１〜６いずれか１記載の画像形成装置。
【請求項８】
原稿を読み込んで生成した画像データを記憶し、この記憶された前記画像データから複写禁止頁を示すパターン情報の有無を検知する機能を実行する画像処理用コンピュータに、
前記原稿を読み込んで前記画像データを生成する画像読込処理と、
生成された前記画像データを記憶する記憶処理と、
記憶された前記画像データ中に前記パターン情報が存在するか否かを検知するパターン情報検知処理と、
前記パターン情報の存在が検知されたとき、前記複写禁止頁に係る検知履歴情報を出力可能に管理する検知履歴管理処理と、
を実行させることを特徴とする画像処理プログラム。
【請求項９】
前記検知履歴管理処理は、前記検知履歴情報を格納するとともに所定のアクセス権が得られたときに前記検知履歴情報を出力する請求項８記載の画像処理プログラム。
【請求項１０】
前記検知履歴管理処理は、検知された前記複写禁止頁の画像データを含める請求項８又は９記載の画像処理プログラム。
【請求項１１】
前記検知履歴情報処理は、当該装置を特定する特定符号、前記画像データの生成時期、当該装置の操作者特定情報の少なくとも１つ以上のデータを前記検知履歴情報として含める請求項８〜１０いずれか１記載の画像処理プログラム。
【請求項１２】
出力された前記検知履歴情報の表示処理を実行する請求項８〜１１いずれか１記載の画像処理プログラム。
【請求項１３】
前記パターン情報の存在が検知されたとき、前記複写禁止頁を同一濃度の画像データに変換処理を実行する請求項８〜１２いずれか１記載の画像処理プログラム。
【請求項１４】
前記請求項８〜１３いずれか１記載の画像処理プログラムを記憶することを特徴とする記憶媒体。
【発明の詳細な説明】
【技術分野】
【０００１】
本発明は画像処理装置、画像処理プログラムおよび記憶媒体に係り、複写抑止機能を搭載した複写機、ファクシミリ機およびこれらの複合機（ＭＦＰ：Multi Function Peripheral）に用いて好適する画像処理装置、画像処理プログラムおよび記憶媒体の改良に関する。
【背景技術】
【０００２】
従来、市場における文書セキュリティ向上の要求に応えるため、複写（コピー）を禁止する文書であることを示すパターン情報を予め原稿に埋め込んでおき、そのパターン情報が検出された場合、何らかの手段で複写を抑止する機能を搭載した複写機等が製品化されている。
【０００３】
すなわち、図４Ａに示すように、用紙１に対し、小さなドットからなる背景領域３ａと、この背景領域３ａ中に埋め込まれた若干大きなドットからなり複写を禁止する趣旨のメッセージ情報３ｂ（同図Ａでは見えない）とからなるパターン情報５を印刷するとともに、さらに当該用紙１に目的の文書内容を印刷して例えば「契約書」を作成する。
【０００４】
この印刷済み用紙１を複写機で複写すると、図４Ｂに示すように、複写物１ａには背景領域３ａ中に埋め込んだ「複写禁止」といったメッセージ情報３ｂが黒く浮かび上がったり、同図Ｃに示すように、複写物１ｂには背景領域３ａが浮かび上がってメッセージ情報３ｂを白抜き状態にすることにより、複写操作者に対してその印刷済み用紙１が複写禁止されているものである旨を間接的に告知し、複写を抑制するものである。
【０００５】
複写物１ａにおいて、背景領域３ａ中に埋め込んだメッセージ情報３ｂが、図４Ｂのように黒く浮かび上がる理由は、図５Ａのような小さなドットｄ１が、図５のように大きなドットｄ２より複写再現され難いことによる。
【０００６】
複写物１ｂにおいて、背景領域３ａが図４Ｃのように黒く浮かび上がる場合は、逆に、背景領域３ａを図５Ｂのような大きなドットｄ２に、メッセージ情報３ｂを同図Ａのように小さなドットｄ１にすることによって得られる。
【０００７】
一方、文書セキュリティを確保するために、例えば特開２００５−１４２９１８号公報（特許文献１）に示すような構成も提案されている。
【０００８】
この構成は、画像読取手段で原稿画像を読み取った画像データから、ドットパターン検出手段によってその画像データに含まれる背景画像又は画像に埋め込まれたドットパターンを検出し、この検出したドットパターンと予め設定されたドットパターンとをドットパターン判定手段によって比較し、互いの同一性が判定された場合、再現規制手段にて当該装置が具備する複写機能等の画像データ再現機能を規制する構成を有し、当該装置が具備する各機能規制を介して機密文書の不正流出を防止するものである。
【特許文献１】特開２００５−１４２９１８号公報
【発明の開示】
【発明が解決しようとする課題】
【０００９】
しかしながら、上述したように用紙１に背景領域３ａとして細かいドットパターンを印刷するとともに背景領域３ａ中に「複写禁止」を示すメッセージ情報３ｂを埋め込む構成では、複写物１ａ、１ｂ中に「複写禁止」といったメッセージ情報３ｂを顕著に表示させ、当該印刷済み用紙１が複写禁止されているものである旨を間接的に告知するだけであり、どのような原稿が不正に読み込まれたり複写されたのかを、作成者又は管理者等が後から把握し難く、機密文書の管理上から改善が望まれていた。
【００１０】
また、上述した特許文献１についても、複写時に複写禁止を示すドットパターンが検出されても、例えば複写を規制して複写されない技術を開示するのみであり、どのような原稿が不正に読み込まれたり複写されようとなったかを作成者又は管理者等が把握し難く、同様の課題を有している。
【００１１】
本発明はそのような課題を解決するためになされたもので、読み込まれた原稿中に複写禁止頁があるとき、その読み込み履歴を後から把握し易くした画像処理装置、画像処理プログラムおよび記憶媒体の提供を目的とする。
【課題を解決するための手段】
【００１２】
そのような課題を解決するために本発明に係る画像処理装置は、原稿を読み込んで画像データを生成する画像読込手段と、生成されたその画像データを記憶する記憶手段と、記憶されたその画像データ中に複写禁止頁を示すパターン情報が存在するか否かを検知するパターン情報検知手段と、そのパターン情報の存在が検知されたとき、その複写禁止頁に係る検知履歴情報を出力可能に管理する検知履歴管理手段とを具備している。
【００１３】
本発明の画像処理装置では、上記検知履歴管理手段として、その検知履歴情報を格納するとともに所定のアクセス権が得られたときにその検知履歴情報を出力する構成も可能である。
【００１４】
本発明の画像処理装置では、上記検知履歴情報には、検知された複写禁止頁の画像データを含める構成や、当該装置を特定する特定符号、その画像データの生成時期、当該装置の操作者特定情報の少なくとも１つ以上のデータを含む構成が可能である。
【００１５】
本発明の画像処理装置では、出力された上記検知履歴情報を表示する表示手段を有する構成も可能である。
【００１６】
本発明の画像処理装置では、上記パターン情報の存在が検知されたとき、その複写禁止頁を同一濃度の画像データに変換する画像データ変換手段を有する構成や、上記画像データを印刷する印刷手段を有する構成も可能である。
【００１７】
そして、本発明の画像処理プログラムでは、原稿を読み込んで生成した画像データを記憶し、この記憶されたその画像データから複写禁止頁を示すパターン情報の有無を検知する機能を実行する画像処理用コンピュータに、その原稿を読み込んでその画像データを生成する画像読込処理と、生成されたその画像データを記憶する記憶処理と、記憶されたその画像データ中にそのパターン情報が存在するか否かを検知するパターン情報検知処理と、そのパターン情報の存在が検知されたとき、その複写禁止頁に係る検知履歴情報を出力可能に管理する検知履歴管理処理とを実行させるものである。
【００１８】
本発明の画像処理プログラムでは、上記検知履歴管理処理として、その検知履歴情報を格納するとともに所定のアクセス権が得られたときに当該検知履歴情報を出力する構成も可能である。
【００１９】
本発明の画像処理プログラムでは、上記検知履歴管理処理として、検知された複写禁止頁の画像データを含める構成や、当該装置を特定する特定符号、その画像データの生成時期、当該装置の操作者特定情報の少なくとも１つ以上のデータをその検知履歴情報として含める構成が可能である。
【００２０】
本発明の画像処理プログラムでは、出力されたその検知履歴情報の表示処理を実行する構成も可能である。
【００２１】
本発明の画像処理プログラムでは、上記パターン情報の存在が検知されたとき、その複写禁止頁を同一濃度の画像データに変換処理を実行する構成も可能である。
【００２２】
さらに、本発明の記憶媒体は、それらいずれかの画像処理プログラムを記憶するものである。
【発明の効果】
【００２３】
このような本発明に係る画像処理装置および画像処理プログラムでは、画像読込手段で原稿を読み込んで画像データを生成し、生成されたその画像データを記憶手段に記憶し、記憶された画像データ中に複写禁止頁を示すパターン情報が存在するか否かをパターン情報検知手段で検知し、そのパターン情報の存在が検知されたとき、その複写禁止頁に係る検知履歴情報を検知履歴管理手段で出力可能に管理するから、原稿中の複写禁止頁が読み込まれたとき、後でそれを管理者等が把握し易い。
【００２４】
本発明において、上記検知履歴管理手段にその検知履歴情報を格納するとともに所定のアクセス権が得られたときにそれを出力する構成では、アクセス権を有する管理者のみが検知履歴情報を把握可能で、管理上有用である。
【００２５】
本発明において、上記検知履歴情報として検知された複写禁止頁の画像データを含める構成や、当該装置を特定する特定符号、画像データの生成時期、操作者特定情報の少なくとも１つ以上のデータを含む構成では、原稿中の何枚目が複写禁止頁として読み込まれたか、どの機器で読み込まれたか、いつ読み込まれたか、読み込み操作者が誰か、といった項目を具体的に特定可能である。
【００２６】
本発明において、出力された上記検知履歴情報を表示する表示手段を有する構成では、管理者等が簡単に検知履歴情報を把握可能である。
【００２７】
本発明において、上記パターン情報の存在が検知されたとき、その複写禁止頁を同一濃度の画像データに変換する画像データ変換手段を有する構成や、上記画像データを印刷する印刷手段を有する構成では、複写禁止頁を同一濃度の画像データに変換して視覚的に判別し難くできるし、印刷出力も可能である。
【００２８】
そして、本発明の記憶媒体では、それらいずれかの画像処理プログラムを記憶するから、それら画像処理プログラムを有体物の形態で扱える。
【発明を実施するための最良の形態】
【００２９】
以下、本発明に係る実施の形態を図面を参照して説明する。
【００３０】
図１は本発明に係る画像処理装置の実施の一形態を示すブロック図である。本発明に係る画像処理プログラムおよびこれを格納した記憶媒体は、画像処理装置を説明する過程で説明する。
【００３１】
図１において、本発明に係る画像処理装置は、バス７を介して接続された画像読込手段９、記憶手段１１、検知履歴管理手段１３、パターン情報検知手段１５、画像データ変換手段１７、印刷手段１９、通信手段２１、インターフェース手段２３、操作表示手段２５およびこれらを制御する制御手段２７を有して構成されている。
【００３２】
画像読込手段９は、制御手段２７の制御の下、例えば印刷された原稿を光学的に読み込み、フィルタ処理、変倍処理、γ処理および階調処理等をして電子的画像データを生成する公知のデジタル複写機の読取り手段やスキャナーであり、生成した画像データが原稿の頁毎に記憶手段１１に順次記憶されるようになっている。
【００３３】
パターン情報検知手段１５は、制御手段２７の制御の下、記憶手段１１に記憶された画像データを頁単位で読出し、画像データ中に複写禁止頁を示すパターン情報が存在するか否かを検知し、そのパターン情報の存在が検知されたとき、その複写禁止頁に係る画像データが読み込まれた事実を示す検知履歴情報を作成し、検知履歴管理手段１３に記憶する機能を有している。
【００３４】
画像データ中における複写禁止頁を示すパターン情報は、例えば上述した図４および図５で説明したように、小さなドットｄ１の背景領域３ａ中に、大きなドットｄ２で複写禁止を示すメッセージ情報３ｂが埋め込まれて形成されており、画像読込手段９で読み込まれたとき、背景領域３ａ中に埋め込んだ「複写禁止」といったメッセージ情報３ｂが図４Ｂに示すように黒く浮かび上がるようになっている。
【００３５】
なお、背景領域３ａのドットｄ１と複写禁止を示すメッセージ情報３ｂのドットｄ２を逆にすれば、背景領域３ａが浮かび上がる一方、メッセージ情報３ｂが白抜き状態になる。
【００３６】
パターン情報検知手段１５は、例えば、背景領域３ａから公知のパターンマッチング法によってドットｄ１を検知し、所定の面積内でのドット数をカウンタ処理してドット密度を算出する一方、パターン情報領域から同様のパターンマッチング法によってドットｄ２を検知し、所定の面積内でのドット数をカウンタ処理してパターン情報５のドット密度を算出し、例えば記憶手段１１に予め設定記憶された同一性判断の許容値となる閾値（基準ドット密度）とそれら算出ドット密度を比較し、閾値（基準ドット密度）内に含まれていると判定した場合、パターン情報５の存在を検出する。
【００３７】
パターン情報検知手段１５は、画像データ中にパターン情報５を検出したとき、読込み原稿中に複写禁止頁が存在する旨の情報の他、検知されたその複写禁止頁自体の画像データを有する検知履歴情報を作成して出力し、検知履歴管理手段１３に格納する機能を有している。
【００３８】
検知履歴情報情報としては、その複写禁止頁に係る画像データが読み込まれたことを示す事実の他、読込み原稿における複写禁止頁の位置（頁数や頁番号）、当該複写機を特定する特定符号（機器番号）、画像データの読込み生成時期（日時）、又は当該複写機等が操作者の特定情報（ＩＤ番号）等の入力を必要とする場合にその入力特定情報（ＩＤ番号）のうち、少なくとも１つ以上のデータを含ませることが好ましい。
【００３９】
同一の印刷済み用紙が複数回読み込まれた場合、読込の都度、上述した履歴内容を更新して作成格納される。
【００４０】
検知履歴管理手段１３は、その検知履歴情報を出力可能に管理する読み書き可能なメモリであり、所定のアクセス権が設定されており、そのアクセス権が得られたときに当該検知履歴情報を操作表示手段２５に出力する機能を有している。検知履歴管理手段１３は、ある記憶装置内を記憶手段１１とともに分割使用する構成であっても良い。
【００４１】
画像データ変換手段１７は、パターン情報検知手段１５が画像データ中のパターン情報５を検出したとき、制御手段２７の制御の下、パターン情報５の検知された複写禁止頁を同一濃度の画像データに変換するとともに変換前の画像データに対して置き換えて記憶手段１１に格納する機能を有している。
【００４２】
同一濃度の画像データとしては、文字や線画の判別や識別が困難なように白紙画像データ、黒色や灰色の画像データに変換することが考えられる。
【００４３】
印刷手段１９は、例えばパターン情報検知手段１５が画像データ中のパターン情報５の有無を検出し終わったとき、制御手段２７の制御の下、記憶手段１１からの画像データや検知履歴情報を印刷する公知のモノクロ又はカラー印刷エンジンである。
【００４４】
通信手段２１は、制御手段２７の制御の下、画像データや検知履歴情報を例えばネットワーク２９を介してホストコンピュータ３１との間で送受信する機能を有している。
【００４５】
インターフェース手段２３は、後述する画像処理プログラムを格納する例えばハードディスク（ＨＤＤ）、ＵＳＢメモリ、フレキシブルディスクその他公知の外部記憶媒体３３に対し、制御手段２７の制御の下、その画像処理プログラムの読出を制御する入出力制御部である。
【００４６】
操作表示手段２５は、上述した閾値（基準ドット密度）、操作者の特定情報（ＩＤ番号）、アクセス権を示すパスワード等を入力や設定をするとともに、検知履歴情報その他を表示する機能を有し、例えば、当該装置本体ケース（図示せず。）に配置された表示手段と入力手段を兼ねた液晶タッチパネルからなり、制御手段２７によって制御される。
【００４７】
そして、例えば検知履歴情報の表示コマンドをアクセス権（パスワード）等とともに操作表示手段２５から入力すると、制御手段２７の制御の下、その検知履歴情報が検知履歴管理手段１３から読み出されて操作表示手段２５に表示されるようになっている。
【００４８】
もし、アクセス権を示すパスワード等が異なっていれば、操作表示手段２５
に例えば「エラー」が表示され、その検知履歴情報が読み出せないようになっている。
【００４９】
制御手段２７は、上述したように、バス７を介して接続された画像読込手段９、記憶手段１１、パターン情報検知手段１５、画像データ変換手段１７、印刷手段１９、通信手段２１、インターフェース手段２３、操作表示手段２５の機能を制御するＣＰＵ等であり、それらの一部を実質的に構成している場合もある。
【００５０】
記憶手段１１は、制御手段２７の動作プログラムを格納する他、上述したように、生成した画像データ、閾値（基準ドット密度）、読込情報、変換された画像データ、送信先としてのホストコンピュータのアドレス等を格納する機能を有する読み書き可能なメモリである。
【００５１】
次に、本発明の画像処理装置の動作を図２のフローチャートおよび図３の動作概念図を参照して説明する。
【００５２】
プログラムが開始されると、ステップＳ１にて原稿としての用紙１を画像読込手段９で読み込んで画像データを生成する画像読込処理を実行し、ステップＳ２にてその画像データを記憶手段１１に記憶する記憶処理を実行し、続くステップＳ３にて画像データ中に複写禁止を示すパターン情報５が存在するか否かパターン情報検知手段１５にてパターン情報検知処理を実行する。
【００５３】
全ての画像データ中にパターン情報５が存在しなくてステップＳ３がＮＯの場合にはステップＳ６に移る。
【００５４】
全ての画像データ中の何れかの頁にパターン情報５が存在してステップＳ３がＹＥＳの場合には、ステップＳ４にて上述した複写履歴情報を作成処理するとともに検知履歴管理手段１３への格納処理を実行する。
【００５５】
続くステップＳ５にてパターン情報５の検知された複写禁止頁の画像データを画像データ変換手段１７にて例えば白紙画像データに変換する変換処理を実行し、ステップＳ６にてその変換画像データを含む全ての画像データを印刷処理して終了する。ステップＳ５とＳ６は順序を入替えることが可能である。
【００５６】
その後、管理者等が例えば操作表示手段２５から、アクセス権とともに複写履歴情報の表示指示を入力すると、ステップＳ４で作成された複写履歴情報が検知履歴管理手段１３から読出され、操作表示手段２５への表示処理が実行される。
【００５７】
例えば図３に示すように、「ＡＢＣ」と表示された複写禁止頁を含む用紙１が読み込まれた後、アクセス権を入力してその履歴情報を表示させると、操作表示手段２５で表示される。なお、当該複写禁止頁は、印刷手段１９から白紙出力される。
【００５８】
もし、アクセス権が入力されない場合又はアクセス権の内容が異なる場合には表示指示を入力しても検知履歴管理手段１３から読出されず、操作表示手段２５にも表示されない。
【００５９】
そして、それらの実行処理が本発明に係る画像処理プログラムであり、本発明に係る記憶媒体３３はそれら画像処理プログラムを格納したものである。
【００６０】
このように本発明の画像処理装置では、原稿を読み込んで画像データを生成する画像読込手段９と、生成された画像データを記憶する記憶手段１１と、記憶された画像データ中に複写禁止頁を示すパターン情報５が存在するか否かを検知するパターン情報検知手段１５と、そのパターン情報の存在が検知されたとき、その複写禁止頁の存在および当該画像データを検知履歴情報として出力可能に記憶管理する検知履歴管理手段１３と、上記パターン情報の存在が検知されたとき当該複写禁止頁を同一濃度の画像データに変換する画像データ変換手段１７と、その検知履歴情報の表示指示を受けるとともに検知履歴情報を表示させる操作表示手段２５を具備している。
【００６１】
そのため、複写禁止原稿を含む原稿が読み込まれた場合、その読込の事実が検知履歴情報として検知履歴管理手段１３で保持管理されるから、例えば管理者が、後からその検知履歴情報を確認することが可能となり、複写禁止頁を含む原稿が読み込まれたことを事後的に把握可能であるうえ、複写操作者にはその履歴管理を察知され難い。
【００６２】
そして、その検知履歴情報として複写禁止頁を含めて表示可能であるから、具体的にどの複写禁止頁が読み込まれたか把握可能であり、機密文書の漏洩経路特定の参考になり得る。
【００６３】
また、パターン情報の検知された複写禁止頁を同一濃度の画像データに変換するから、複写禁止頁の画像データをそのまま出力させ難いし、複写禁止頁が同一濃度の画像データに変換して印刷されるから、複写禁止頁の内容を視覚的に判別し難くした状態で印刷出力可能となり、複写禁止頁の複写を抑えることが可能である。
【００６４】
さらに、検知履歴情報としては、その原稿における複写禁止頁の位置、当該装置を特定する特定符号、画像データの生成時期又は操作者特定情報の少なくとも１つ以上のデータを送信するから、原稿中の何枚目の複写禁止頁が読み込まれたか、どの機器で読み込まれたか、いつ読み込まれたか、読込み操作者が誰か、といった項目を具体的に特定可能で、機密文書の漏洩経路を特定し易くなる。
【００６５】
もっとも、本発明においては、画像読込手段９、記憶手段１１、検知履歴管理手段１３、パターン情報検知手段１５を具備して構成すれば、本発明の目的達成が可能であり、必ずしも画像データ変換手段１７や印刷手段１９は必須ではないし、記憶手段１１も生成された画像データを記憶し、検知履歴管理手段１３も複写禁止頁に係る検知履歴情報を読み書き可能に格納可能なものであれば本発明の目的達成が可能であり、表示手段としての操作表示手段２５も必須ではない。
【００６６】
そして、画像読込手段９、記憶手段１１、検知履歴管理手段１３、パターン情報検知手段１５、画像データ変換手段１７や印刷手段１９、通信手段２１、制御手段２７は、必ずしもバス７を介して接続される構成に限らず、画像読込手段としてのスキャナー、記憶手段１１、検知履歴管理手段１３、パターン情報検知手段１５、画像データ変換手段１７および通信手段２１としてのパソコン、印刷手段１９としてのプリンタを例えばネットワークを介して接続した構成においても実施可能である。
【００６７】
また、本発明に係る上述した画像処理プログラムにおいても、検知履歴管理処理として、その検知履歴情報を格納するとともに所定のアクセス権が得られたときに当該検知履歴情報を出力する構成も可能であり、画像処理装置と同様な効果を得ることができる。
【００６８】
さらに、本発明の画像処理プログラムにおいて、その原稿における複写禁止頁の位置、当該装置を特定する特定符号、画像データの生成時期、操作者特定情報のうち、少なくとも１つ以上のデータをその読込情報として送信する構成、上記パターン情報の存在が検知されたとき、その複写禁止頁を同一濃度の画像データに変換する画像データ変換処理を実行したり、上記画像データを印刷する印刷処理を実行する構成も可能であり、画像処理装置と同様な効果を得ることができる。
【００６９】
なお、本発明におけるパターン情報検知方法は、上述したように背景領域３ａやメッセージ情報３ｂから公知のパターンマッチング法によってドットパターンを検知するとともに所定の面積内でのドット密度を算出し、閾値（基準ドット密度）と比較してパターン情報５の有無を検知する手法の他、ドットパターンを形成するドット寸法の大小、ドット形状や配列方法の差異によって検知可能であるし、単にドットパターンの有無等によって検知する等、種々の手法が適用可能である。
【図面の簡単な説明】
【００７０】
【図１】本発明に係る画像処理装置の実施の一形態を示すブロック図である。
【図２】図１の画像処理装置の動作を説明するフローチャートである。
【図３】図１の画像処理装置の動作を説明する動作概念図である。
【図４】複写禁止を示すパターン情報を埋め込んだ用紙を説明する図である。
【図５】複写禁止頁を表現するドットパターンを説明する図である。
【符号の説明】
【００７１】
１  用紙
１ａ、１ｂ  複写物
３  背景領域
５  パターン情報
７  バス
９  画像読取手段
１１  記憶手段
１３  検知履歴管理手段
１５  パターン情報検知手段
１７  画像データ変換手段
１９  印刷手段
２１  通信手段
２３  インターフェース手段
２５  操作表示手段
２７  制御手段
２９  ネットワーク
３１  ホストコンピュータ
３３  記録媒体
ｄ１、ｄ２  ドット
【図１】
2008061001.tif 000003
【図２】
2008061001.tif 000004
【図３】
2008061001.tif 000005
【図４】
2008061001.tif 000006
【図５】
2008061001.tif 000007